(57)【要約】【課題】配管等を、簡素な構成で敷設面から浮かして支持することのできる配管等の支持装置を提供することを課題とする。【解決手段】配管Ｐ等が載置される基台２と、この基台２に止着されることにより、この基台２との間に前記配管Ｐ等を挟持する固定部材３とを備え、前記基台２には、耐腐食性材料によって形成された係止部材４が、その上面が前記基台２の上面に露出するように一体に埋設され、前記固定部材３が、この固定部材３を貫通して前記係止部材４にねじ込まれるビス５によって止着されるようになされている。【選択図】図１
0003202889.tif 000002
【実用新案登録請求の範囲】
【請求項１】
配管等が敷設される敷設面に設置されて、前記配管等が載置される基台と、この基台に止着されることにより、この基台との間に前記配管等を挟持する固定部材とを備え、前記基台には、耐腐食性材料によって形成された係止部材が、その上面が前記基台の上面に露出するように一体に埋設され、前記固定部材が、この固定部材を貫通して前記係止部材にねじ込まれるビスによって止着されるようになされていることを特徴とする配管等の支持装置。
【請求項２】
前記係止部材の上部には、載置される前記配管等の軸線と交差する方向に沿う溝が形成されていることを特徴とする請求項１に記載の配管等の支持装置。
【請求項３】
前記係止部材の側面には、この側面から立ち上がる鍔が連設されていることを特徴とする請求項１または請求項２の何れかに記載の配管等の支持装置。
【請求項４】
前記基台がコンクリートモルタルによって形成されていることを特徴とする請求項１ないし請求項３の何れかに記載の配管等の支持装置。
【請求項５】
前記係止部材の少なくとも上面が耐候材料によって被覆されていることを特徴とする請求項１ないし請求項４の何れかに記載の配管等の支持装置。
【考案の詳細な説明】
【技術分野】
【０００１】
本考案は、配管等の支持装置に係わり、特に、建物の屋上といった屋外に敷設される配管等の支持に好適に用いられる配管等の支持装置に関するものである。
【背景技術】
【０００２】
建物のスラブ上に敷設される配管等は、その位置ずれ等を防止するために、前記スラブに固定することが一般的である。
【０００３】
前述した配管等の固定構造として、たとえば、特許文献１に示されるように、前記配管等をスラブ上に載置した後に、前記配管等の両側部および上部を取り囲む固定部材を被せ、この固定部材を、前記スラブに植設されたアンカーボルトによって固定するようにしたものが知られている。
【０００４】
ところで、このような配管等の固定構造であると、この配管等が前記スラブに接触した状態で敷設されていることから、たとえば、前記スラブが屋上スラブである場合、降雨等によって前記スラブに水が溜まると、この水が、前記スラブと前記配管等との隙間に入り込んでしまう。
【０００５】
このように、前記スラブと前記配管等との間に水が浸入して溜まると、この配管等に錆が発生して破損の原因となる。
【０００６】
このような不具合に対処すべく、従来では、特許文献２に示されるように、前記配管等をスラブから浮かした状態で支持する支持装置が提案されている。
【０００７】
この技術は、スラブ上に設置される所定高さのブロックの上部に、上方に開口する蟻溝状のレールを一体に取り付けておくとともに、このレールに、上方への離脱が防止された係止部材を装着しておき、前記ブロック上に前記配管等を載置するとともに、この配管等を前記係止部材で挟んで固定するようにしたものである。
【０００８】
この技術では、前記配管等を前記ブロックによって支持することにより、前記配管等を前記スラブから所定高さに保持して、前記スラブ上の水が前記配管等に作用することを防止することができる。
【先行技術文献】
【特許文献】
【０００９】
【特許文献１】特開２０１１−９４８００号公報
【特許文献２】特開２００９−２４３５０５号公報
【考案の概要】
【考案が解決しようとする課題】
【００１０】
前述したように、前記従来の技術によって、配管等が水にさらされることを防止することができるようになったが、なお、次のような改善すべき問題点が残されている。
【００１１】
すなわち、前記配管等を前記ブロックに固定する支持装置を、このブロックに埋め込まれたレールと、このレールに係止されて前記配管等を把持する係止部材とによって構成している。
【００１２】
このような構成であると、前記配管等を挟んで支持する前記係止部材に把持機構を組み込まなければならず、また、この係止部材を係止する前記レールも、係止部材の上方への離脱を防止するために蟻溝状の特殊な形状としなければならない。
【００１３】
したがって、構造が極めて複雑で、製品コストが嵩張るばかりでなく、敷設作業も煩雑なものとなってしまうといった問題点を有している。
【００１４】
本考案は、このような従来の問題点に鑑みてなされたもので、簡素な構造でかつ敷設の施工性を高めることのできる配管等の支持装置を提供することを解決すべき課題とする。
【課題を解決するための手段】
【００１５】
本考案の配管等の支持装置は、前述した課題を解決するために、配管等が敷設される敷設面に設置されて、前記配管等が載置される基台と、この基台に止着されることにより、この基台との間に前記配管等を挟持する固定部材とを備え、記基台には、耐腐食性材料によって形成された係止部材が、その上面が前記基台の上面に露出するように一体に埋設され、前記固定部材が、この固定部材を貫通して前記係止部材にねじ込まれるビスによって止着されるようになされていることを特徴としている。
【００１６】
このような構成とされた本考案の配管等の支持装置は、前記基台上に配管等を載せ、この配管等を上方から覆うように前記固定部材を被せ、ついで、この固定部材に前記ビスを貫通させつつこのビスを前記係止部材にねじ込むことにより、前記配管等を、前記基台と固定部材とによって挟持固定するとともに、この配管等を前記基台によって敷設面から所定高さに保持する。
【００１７】
これによって、前記配管等を敷設面から浮かして支持して、水に浸されることを抑制し、かつ、前記配管等の敷設に際して、前記配管等に固定部材を被せてビス留めするという簡便な作業ですむ。
【００１８】
また、前記基台に埋め込まれる前記係止部材は、前記ビスがねじ込まれるだけであるから、単純な形状ですみ、前記固定部材も前記配管等が入り込む凹部が形成されていればいいので、その形状も単純な形状ですむ。
したがって、全体として簡素な構成となり、製品コストが軽減される。
また、前記係止部材は、耐腐食性材料によって形成されるが、この耐腐食性材料として、たとえば、合成樹脂やアルミニウム等の金属が用いられる。
【００１９】
前記係止部材の上部には、載置される前記配管等の軸線と交差する方向に沿う溝が形成されていることが好ましい。
【００２０】
このような構成とすることにより、前記固定部材をねじ止めする際に、前記ビスの先端を前記溝に挿入することにより、この溝を下穴として利用して、前記ビスのねじ込み操作を容易なものとすることができる。
【００２１】
また、前記係止部材の側面には、この側面から立ち上がる鍔が連設されていることが好ましい。
【００２２】
このような構成とすることにより、この係止部材と前記基台との間に、基台の上下方向の引っ掛かりを設けることができる。
これによって、前記係止部材と前記基台とが一体化されて、前記配管等の支持強度を高めることができる。
【００２３】
そして、前記基台をコンクリートモルタルによって形成することにより、この基台内に前記係止部材を埋め込む際に、この係止部材が設置された型枠内にコンクリートモルタルを流し込むことによって、これらを容易に一体化することができる。
【００２４】
また、前記基台の質量を確保して、支持する配管の位置ずれを抑制することができる。
【００２５】
さらに、前記係止部材を合成樹脂によって形成する場合、その少なくとも上面を耐候材料によって被覆することが好ましい。
【００２６】
これによって、前記係止部材の主要部に高強度の樹脂を用い、この主要部を前記耐候材料によって被覆することにより、前記主要部の紫外線等による劣化を防止することができる。
【考案の効果】
【００２７】
本考案によれば、前記基台上に配管等を載せた状態で、この配管に被せられる固定部材を前記基台に埋設されている係止部材にねじ止めするといった簡便な作業により、前記配管等を敷設面から浮かせて支持することができる。
これによって、前記配管等が水に浸されてしまうことを抑制して、その損傷を抑制することができる。
また、前記配管等の支持構造を簡素なものとして、製品コストを抑制することができる。
【図面の簡単な説明】
【００２８】
【図１】本考案の一実施形態を示す正面図である。
【図２】本考案の一実施形態を示すもので、図１のＩＩ−ＩＩ線断面図である。
【図３】本考案の一実施形態を示すもので、配管等や固定部材を取り外した状態を示す図２と同様の図である。
【図４】本考案の一実施形態を示すもので、係止部材の拡大縦断面図である。
【図５】本考案の変形例を示す側面図である。
【考案を実施するための形態】
【００２９】
以下、本考案の一実施形態を、図面を参照して説明する
これらの図において符号１は、本実施形態に係わる配管等の支持装置（以下、支持装置と略称する）を示す。
【００３０】
この支持装置１は、配管Ｐ等が敷設される敷設面Ｓに設置されて、前記配管Ｐ等が載置される基台２と、この基台２に止着されることにより、この基台２との間に前記配管Ｐ等を挟持する固定部材３とを備え、前記基台２には、合成樹脂製の係止部材４が、その上面が前記基台２の上面に露出するように一体に埋設され、前記固定部材３が、この固定部材３を貫通して前記係止部材４にねじ込まれるビス５によって止着されるようになされている。
【００３１】
前記基台２は、たとえば、コンクリートモルタルによって略直方体状に形成されており、この基台２に埋め込まれる前記係止部材４も略直方体状に形成され、その長さが、前記基台２の幅方向（図１における左右方向）と略同一の長さに形成されている。
【００３２】
前記係止部材４は、図４に詳述するように、前記基台２内に位置させられる基部４ａと、この基部４ａの上面を覆って設けられる被覆部４ｂとによって構成されている。
【００３３】
前記基部４ａは、たとえば、ＡＢＳ樹脂によって形成されて、その下部両側面には、これらの側面から立ち上げられるようにして、前記基部４ａの長さ方向全長にわたって鍔６が一体に連設されている。
【００３４】
前記被覆部４ｂは、たとえば、ＡＳＡ樹脂等の耐候材料によって形成されており、前記基部４ａの上部を覆って一体に設けられている。
さらに、ＡＥＳ樹脂を用いることにより、耐アルカリ性や耐候性をさらに高めることができる。
【００３５】
また、本実施形態においては、前記基部４ａの上面には、所定深さを有する溝７が、前記基台２の長さ方向全長にわたって形成されており、この溝７の内面を覆うように、前記被覆部４ｂが一体に形成されている。
【００３６】
そして、前記溝７の幅（前記被覆部４ｂを形成した状態での幅）は、前記ビス５の最大径よりも狭く、かつ、このビス５の先端部より広く形成されており、このビス５の先端部が挿入された状態において、このビスの先端部を挟み込んで、前記ビス５を仮止するようになっている。
【００３７】
前記固定部材３は、たとえば、金属板を逆Ｕ字状に湾曲することによって形成されており、その内形が、前記配管Ｐ等の外形の約半周に沿うように形成されている。
【００３８】
また、前記固定部材３の両端部は、それぞれ外方へ向けて折曲させられて固定片３ａとなされており、前記固定部材３を、前記基台２上に載置された前記配管Ｐ等に被せた状態において、前記固定片３ａが、前記係止部材４の上面に重畳させられるようになっている。
【００３９】
さらに、前記各固定片３ａには、前記ビス５が挿通させられる貫通孔８がそれぞれ形成されている。
【００４０】
一方、前記基台２と前記係止部材４は、前記係止部材４を型枠内の底部に設置した状態で、この型枠内にコンクリートモルタルを充填して固化させることによって一体化される。
【００４１】
このようなコンクリートモルタルの充填の際に、前記係止部材４の前記溝７が形成されている面と前記型枠との間にコンクリートモルタルが入り込まないようにしておく。
これによって、前記基台２の上部に前記係止部材４が、その上面を前記基台２の上部から露出し、かつ、前記溝７が上方に開放された状態で前記基台２と一体化される。
【００４２】
また、前記係止部材４の両側面の鍔６が、前記コンクリートモルタルによって取り囲まれることにより、前記基台２と前記係止部材４とが強固に一体化される。
【００４３】
このような本実施形態の支持装置１は、前記基台２を、前記配管Ｐ等の敷設経路に、その溝７が前記敷設経路と直交するようにして配置した後に、その上部に前記配管Ｐ等を載置する。
【００４４】
ついで、前記各基台２において、前記配管Ｐ等に前記固定部材３を被せ、この固定部材３の各固定片３ａの貫通孔にビス５を挿入するとともに、これらのビス５の先端を前記溝７に押し込んで仮止めする。
【００４５】
これより、前記各ビス５を前記係止部材４にねじ込んで前記固定部材３を固定することにより、前記配管Ｐ等を、前記固定部材３と前記基台２との間に挟持固定する。
【００４６】
このように、前記基台２上に配管Ｐ等を固定した状態において、この配管Ｐ等が、前記敷設面Ｓから上方に浮いた状態で支持される。
【００４７】
ここで、前記基台２がコンクリートモルタルによって形成されてその質量が確保されていることにより、この基台２に支持されている前記配管Ｐ等の位置ずれが抑制される。
【００４８】
したがって、前記敷設面Ｓに水たまり等が形成された場合にあっても、この水たまりから前記配管Ｐ等を離して保持することができ、前記配管Ｐ等への錆の発生を抑制することができる。
【００４９】
そして、前記配管Ｐ等の固定を、前記係止部材４が一体化された前記基台２、固定部材３、および、ビス５とからなる簡素な構造によって行なうことができる。
これによって、支持装置１の構成を簡素化してその製品コストを抑制することができる。
【００５０】
また、この配管Ｐ等へ前記固定部材３を被せる操作と、この固定部材３をビス５によって前記係止部材４にビス留めする操作といった簡素な作業で行なうことができる。
【００５１】
さらに、本実施形態においては、前記係止部材４の表面に、耐候材料によって形成される被覆部４ｂを設けたことにより、前記係止部材４が紫外線等を受けて劣化することを抑制することができる。
【００５２】
なお、前記実施形態において示した各構成部材の諸形状や寸法等は一例であって、設計要求等に基づき種々変更可能である。
【００５３】
たとえば、前記実施形態においては前記係止部材４を合成樹脂によって形成した例について示したが、これに代えてアルミニウム等の金属を用いることもできる。
要は、耐腐食性を有する材料であればよい。
【００５４】
また、図５に符号αで示すように、少なくとも前記基台２の上面に、その中央部から外方へ向けて漸次低くなる傾斜を設けることもできる。
【００５５】
この傾斜により、前記基台２上面における水切りを行なうことができる。
このような水切り機能を付加することにより、電気関係の配管の支持に好適な支持装置とすることができる。
【００５６】
また、図５に符号９で示すように、前記基台２の側面に凹部を形成することもできる。
このような凹部９を形成しておくことにより、支持装置１の設置作業の際の持ち手として利用することができ、その設置作業を容易にすることができる。
【符号の説明】
【００５７】
１  （配管等の）支持装置
２  基台
３  固定部材
３ａ  固定片
４  係止部材
４ａ  基部
４ｂ  被覆部
５  ビス
６  鍔
７  溝
８  貫通孔
９  凹部
Ｐ  配管等
Ｓ  敷設面
【図１】
0003202889.tif 000003
【図２】
0003202889.tif 000004
【図３】
0003202889.tif 000005
【図４】
0003202889.tif 000006
【図５】
0003202889.tif 000007